(57)【要約】【課題】打ち抜きフィルム部材が刃型の筒内の溜まり部に溜まるのを防止し、打ち抜きフィルムの回収作業をなくして生産性を高めることができ、更には、簡単な構造で製作を容易かつ安価にすることができるフィルム状成形品の打ち抜き加工方法を提供する。【解決手段】フィルム加工用の押切刃と、前記押切刃の近傍にスプリング駒とを有するスプリング駒付刃型において、打ち抜かれたフィルム部材を外部へ搬送する機構を備え、スプリング駒付刃型のスプリング駒とプレス面に設けた当て板によってフィルムを挟持し、プレスすることによって前記フィルムを切断加工してフィルム部材とするフィルム加工方法であって、切断加工後スプリング駒により押し出されたフィルム部材を外部へ搬送するフィルム状成形品の打ち抜き加工方法。【選択図】図２
2017209739.tif 000002
【特許請求の範囲】
【請求項１】
フィルム加工用の押切刃と、前記押切刃の近傍に打抜かれたフィルム部材の自動排出機構を有するスプリング駒とを有するスプリング駒付刃型において、打ち抜かれたフィルム部材を外部へ搬送する機構を備え、前記スプリング駒付刃型と対向するプレス面に設けた当て板とを有し、スプリング駒付刃型のスプリング駒と当て板によってフィルムを挟持し、プレスすることによって前記フィルムを切断加工してフィルム部材とするフィルム加工方法であって、フィルムを前記スプリング駒によって押さえる工程Ａ、フィルムを前記押切刃によって切断加工し前記フィルム部材とする工程Ｂ、を少なくとも有し、前記工程Ｂが、前記工程Ａの最中に行われ、切断加工後スプリング駒により押し出されたフィルム部材を外部へ搬送するフィルム状成形品の打ち抜き加工方法。
【請求項２】
請求項１に記載のフィルム状成形品の打ち抜き加工方法において、打ち抜かれたフィルム部材を押切刃の筒内に一旦保持し、スプリング駒の反動により打ち抜きしたフィルム部材を刃型の筒内から被加工フィルム面上方に押し出し、当て板下面側からフィルム部材を把持し打ち抜き外部へ搬送するようにしたフィルム状成形品の打ち抜き加工方法。
【請求項３】
切断加工前の前記スプリング駒付刃型の前記スプリング駒の上面が、前記押切刃の頂点よりもプレス面に設けた当て板側に高い又は前記押切刃の頂点と同一高さであり、前記工程Ｂにおいて、スプリング駒の上面が、前記フィルムを押さえながら前記押切刃の頂点よりもプレス面に設けた当て板と反対側に移動し、前記フィルムを切断加工する請求項１又は請求項２に記載のフィルム状成形品の打ち抜き加工方法。
【請求項４】
前記スプリング駒が、前記押切刃の間で、フィルム部材側に具備されてなる請求項１〜３のいずれか一項に記載のフィルム状成形品の打ち抜き加工方法。
【請求項５】
前記押切刃が前記スプリング駒側を垂直面とする片刃である請求項１〜４のいずれか一項に記載のフィルム状成形品の打ち抜き加工方法。
【発明の詳細な説明】
【技術分野】
【０００１】
本発明はフィルム状成形品の打ち抜き加工方法に関する。
【背景技術】
【０００２】
情報容量の増大に伴い、幹線やアクセス系といった通信分野のみならず、ルータやサーバ内の情報処理にも光信号を用いる光インターコネクション技術の開発が進められている。特に、ルータやサーバ装置内のボード間あるいはボード内の短距離信号伝送に光を用いるための光伝送路としては、光ファイバに比べ、配線の自由度が高く、かつ高密度化が可能な光導波路を用いることが望ましく、中でも、加工性や経済性に優れたポリマー材料を用いた光導波路が有望である。
【０００３】
光導波路基板の外形を高精度に加工する方法の一つとして、ブレード（回転歯）でダイシング（切断）することが行われていた。この方法は、ブレードで切断面を研磨しながら切断するので切断面が平滑に仕上がり、光学素子や光ファイバー等と接合すると光損失が少なく結合できる。しかし、ダイシングによる切断であるため、時間がかかり、また複雑な形状には対応できない面があった。これに対応するため、金型による打ち抜きプレス加工が行われ、特許文献１には、光導波路を打抜き刃で打抜く方法が提案されている。この方法は、刃面の算術平均粗さを０．０２μｍ未満の平刃とし、光導波路を基板側から打抜くもので、光入射端面や光出射端面を平滑に切断できるとしている。特許文献２には、ディスプレイ用光学フィルムの切断方法が提案され、セパレータフィルム、粘着剤層、及び光学フィルム本体層からなる帯状シートを光学フィルム本体層の側から打抜き刃を押込んで切断する方法が提案されている。これ等の特許文献は、切れ味の良い刃を用いて、切断する層構成の向きが重要であることを示している。
【先行技術文献】
【特許文献】
【０００４】
【特許文献１】特開２００９−２１０８０６号公報
【特許文献２】特開２０１２−０５８５７４号公報
【発明の概要】
【発明が解決しようとする課題】
【０００５】
帯状シートの打ち抜き加工では、変形、波打ち、しわが発生し、精密な外形加工が困難であり、この状態で打ち抜き加工すると折れたり破断することがあった。これに対応するためスプリング駒付刃型を用いたフィルム状成形品の打ち抜き加工方法を提案した。
しかし、この方法は、打ち抜きの都度に打つ抜いたフィルム部材を取り出さねければならず生産性に劣っていた。また、刃型内にフィルム部材がひっかかりスプリング駒のスプリングでも押し切ることができない場合があった。
本発明は上記のような問題点を解決して、打ち抜きフィルム部材が刃型の筒内の溜まり部に溜まるのを防止し、打ち抜きフィルムの回収作業をなくして生産性を高めることができ、更には、簡単な構造で製作を容易かつ安価にすることができるフィルム状成形品の打ち抜き加工方法を提供することを目的とした。
【課題を解決するための手段】
【０００６】
上記課題を解決するためになされた本発明は、フィルムに打ち抜き用の筒状抜刃を取り付け、打ち抜きフィルム（フィルム部材）を前記筒状抜刃の筒内を通じてフィルムの裏面側（被加工フィルム面上方）へ送り込むようにした打ち抜き用刃型において、被加工フィルム裏面（当て板下面）に沿って打ち抜きフィルム（フィルム部材）を外部へ搬送することを特徴とする打ち抜き加工方法である。
【０００７】
すなわち、本発明は、次のものに関する。
（１）  フィルム加工用の押切刃と、前記押切刃の近傍に打抜かれたフィルム部材の自動排出機構を有するスプリング駒とを有するスプリング駒付刃型において、打ち抜かれたフィルム部材を外部へ搬送する機構を備え、前記スプリング駒付刃型と対向するプレス面に設けた当て板とを有し、スプリング駒付刃型のスプリング駒と当て板によってフィルムを挟持し、プレスすることによって前記フィルムを切断加工してフィルム部材とするフィルム加工方法であって、フィルムを前記スプリング駒によって押さえる工程Ａ、フィルムを前記押切刃によって切断加工し前記フィルム部材とする工程Ｂ、を少なくとも有し、前記工程Ｂが、前記工程Ａの最中に行われ、切断加工後スプリング駒により押し出されたフィルム部材を外部へ搬送するフィルム状成形品の打ち抜き加工方法。
（２）上記（１）に記載のフィルム状成形品の打ち抜き加工方法において、打ち抜かれたフィルム部材を押切刃の筒内に一旦保持し、スプリング駒の反動により打ち抜きしたフィルム部材を刃型の筒内から被加工フィルム面上方に押し出し、当て板下面側からフィルム部材を把持し打ち抜き外部へ搬送するようにしたフィルム状成形品の打ち抜き加工方法。
（３）  切断加工前の前記スプリング駒付刃型の前記スプリング駒の上面が、前記押切刃の頂点よりもプレス面に設けた当て板側に高い又は前記押切刃の頂点と同一高さであり、前記工程Ｂにおいて、スプリング駒の上面が、前記フィルムを押さえながら前記押切刃の頂点よりもプレス面に設けた当て板と反対側に移動し、前記フィルムを切断加工する（１）又は（２）に記載のフィルム加工方法。
（４）  前記スプリング駒が、前記押切刃の間で、フィルム部材側に具備されてなる（１）〜（３）のいずれか一項に記載のフィルム加工方法。
（５）前記押切刃が前記スプリング駒側を垂直面とする片刃である（１）〜（４）のいずれか一項に記載のフィルム状成形品の打ち抜き加工方法。
【発明の効果】
【０００８】
本発明のフィルム状成形品の打ち抜き加工方法は、打ち抜きフィルム（フィルム部材）が刃型の筒内の溜まり部に溜まるのを防止し、打ち抜きフィルムの回収作業をなくして生産性を高めることができ、更には、簡単な構造で製作を容易かつ安価にすることができるフィルム状成形品の打ち抜き加工方法を提供することができる。
【図面の簡単な説明】
【０００９】
【図１】本発明のフィルム状成形品の打ち抜き加工方法を示す、フィルム部材自動排出機構付刃型の断面図である。
【図２】打抜かれたフィルム部材を外部へ搬送する機構を説明する断面図である。
【発明を実施するための形態】
【００１０】
本発明において、「フィルム」と標記したときは、切断加工前または押切刃が非貫通状態の加工物を表し、「フィルム部材」と標記したときは、押切刃が貫通した状態又は切断加工後の加工物を表すこととする。
また、本発明において「フィルム」は、厚みが２ｍｍ以下の帯状物を表し、シートと同義で用いる。
【００１１】
本発明を図１に基づいて説明する。図１は、本発明のフィルム状成形品の打ち抜き加工方法を示すフィルム部材自動排出機構付刃型の断面図である。
台座５に押切刃１が固定され、押切刃の間に挟まれてスプリング駒２が設けられ、押切刃1とスプリング駒２とでスプリング駒付刃型３を構成する。スプリング駒２は、駒とスプリングからなり、スプリングの一端は駒の下面に面し、他端は台座内に固定されたスプリング調整治具１０に固定されている。スプリング調整治具により駒の高さを調整し、駒の上面が、押切刃１の頂点よりも当て板４の方に高く又は押切刃１の頂点と同一高さとなるように調整される。スプリングは、切断直前に駒の上面と当て板の間でフィルムを挟持し、抑え込まれたフィルムにしわがなく平面となり、切断されたフィルム部材を押切刃１から押し出すことができるバネ力を持つものを選定し用いる。このため、通常は、駒の上面が、押切刃１の頂点よりもプレス面側の当て板４の方に高くなるようにする。
切断加工されるフィルム７は、位置合わせのため位置合わせ穴が予め加工され、この穴に位置合わせピンを挿入し切断の位置を合わせる。
台座５に設けられたスプリング駒付刃型３は、プレス機の下面盤に台座ごと設置され、上面盤に当て板４を固定する。プレス機のスイッチを押すとプレス機の上面盤が下降し、下面盤との距離が狭まり、当て板４とフィルム７が接触し、接触しつつ、さらに下降するとスプリング駒２の上面とフィルム７が当接し、当て板４とスプリング駒２によりフィルムが挟持され、フィルムが平面となる。さらにプレス面が下降するとスプリング駒２による押しつけ力が強まり、強固に固定され、押切刃１の頂点が切断予定箇所のフィルム面に接触し、切断が継続され、押切刃１の頂点が当て板４に接触し、当て板４の表面に切込みを入れた時点で切断が完了するのでプレス機の下降が停止され、上昇に転じる。
プレス機の上面盤が上昇するにつれ、押切刃１に挟まれ切断加工されたフィルム部材は、スプリング駒２により押切刃から押し出され駒の上面に載置され、切断加工されたフィルム部材の取り出しが容易となる。
位置合わせピン６は、プレス機が稼働すると、当て板４に押され、台座に設けたバネを圧縮し台座に潜り込む方式、当て板の位置合わせピン６の位置に相当する部分に穴をあけて位置合わせピンが挿入されるようにする。
プレス機の加工速度、停止位置等の条件は、切断加工するフィルムにより調整する。
【００１２】
打ち抜き時には、打ち抜かれたフィルム部材は、押切刃１の筒内に一旦保持され、スプリング駒２の反動により打ち抜きされたフィルム部材８は押切刃型の筒内から被加工フィルム面上方に押し出される。そして、図２に示すように当て板下面と被加工フィルムの間にフィルム部材を把持し外部に取り出すための把持部９が挿入され、当て板下面側からフィルム部材を把持し外部へ搬送する。
把持部９は、打ち抜き部材を吸着して保持し、打ち抜きプレスから取り出し、搬送し打ち抜き部材収納容器に移される。
そして、スプリング駒付刃型３は、新たなフィルム部材を打抜くための位置に移動する。この際に、被加工フィルムに強度がある場合は、そのまま移動すると、被加工フィルムの上方に押し出された駒がスプリングの弾力により被加工フィルムの下面側になり移動できる。一般的には、この方法でよく、駒には、ポリエチレン、ポリプロピレン、ポリ四フッ化エチレン等のプラスチックを用いるとフィルムの傷防止に効果的である。被加工フィルムに強度がない場合は、被加工フィルムが破れる恐れがあるのでスプリング駒の上面が、被加工フィルム下面になるように移動させ、新たな被加工フィルム下面に移動させる。スプリング駒の移動は、スプリング調整治具１０ごと上下させる機構、駒のみ上下させる機構等が挙げられる。スプリング調整治具１０に電磁石を設けてスプリング調整治具を保持するバネを磁力により伸縮させる方式が、機構的に制御しやすい。
【００１３】
本発明では、フィルムをスプリング駒で押さえた後に、又は押さえると同時に押切刃によって切断加工を行うため、切断加工時のフィルムの変形を抑制することができ、折れや破断等のないフィルム部材を得ることができる。
また、本発明では、押切刃の近傍にスプリング駒を設けることによって、一連の切断加工でフィルムの変形を抑えることができるため、効率的にフィルムの加工が行える。また、押切刃の近傍にスプリング駒を設けることによって、刃とスプリング駒との位置の相関が確保しやすく、切断加工位置に対して、的確にフィルムを押さえるとともに、切断加工が行える。
これにより、切断加工前のスプリング駒付刃型のスプリング駒の上面が、押切刃の頂点よりもプレス面側に設けた当て板の方に高い、又は押切刃の頂点と同一高さとすることで、加工開始前又は加工開始と同時にフィルムを抑えることができるため、切断加工時にフィルムのずれを抑制することができ、位置精度のよい加工が行える。
また、フィルムに対して押切刃が入り始めから切断完了まで常にフィルムをスプリング駒によって抑える状態を維持できるため、加工途中に生じるフィルムの変形も抑制できるため好ましい。
【００１４】
一つの押切刃の近傍にもう一つの押切刃がある刃型でフィルムの切断を行うと、２つの押切刃間のフィルムに圧縮の応力が生じ、その圧縮の応力がフィルム部材に曲げ、折れ、破断等の変形を生じさせる可能性がある。そこでスプリング駒を２つの押切刃の間に具備させることにより、切断加工と同時に、又は切断加工前にフィルムを抑えることができ、上記の曲げ、折れ、破断等の変形を抑制することができる。
【００１５】
スプリング駒を使わないでフィルムを切断加工し、フィルム部材が刃間に挟まると、フィルム部材を物理的に排出する必要がある。特に刃間のフィルム部材を無理やり排出しようとすると、フィルム部材が折れたり、曲がったりする懸念がある。しかし、本発明では、スプリング駒の反動によって刃間のフィルム部材の排出ができる自動排出機構となっているので上記の懸念がない。
また、切断加工後に刃と刃の間隙にフィルム部材が挟まることが防止することができるため、上述のようなフィルム部材を無理やり刃の間隙から排出する別の工程が不要となり、より効率的な加工が行える。
上述したようなスプリング駒付刃型を用いることで、フィルム部材の変形を抑制でき、生産性良くフィルムの切断加工が行える。
以下、本発明に用いられる各部材について詳細に説明する。
【００１６】
［工程Ａ]
本発明のフィルム状成形品の打ち抜き加工方法は、工程Ａとして、フィルムをスプリング駒によって押さえる工程を有する。工程Ａは、フィルムを切断加工するときに、フィルムをプレス面の当て板とスプリング駒によって押さえる工程である。押さえることによって、フィルムの変形を抑制する効果がある。
【００１７】
［工程Ｂ］
本発明のフィルム状成形品の打ち抜き加工方法は、工程Ｂとして、フィルムを押切刃によって切断加工する工程を有する。
【００１８】
［順番］
工程Ｂは工程Ａの最中に行われる。本発明において工程Ａの最中に行われるとは、フィルムに押切刃が入刃するときから押切刃がフィルムを貫通しフィルム部材とするときまでは少なくとも工程Ａが継続していることを指す。好ましくは、フィルムに押切刃が入刃する前から工程Ａが継続していると良い。
【００１９】
［工程Ｃ］
本発明のフィルム加工方法は、工程Ｃとしてフィルム部材を押切刃からスプリング駒によって排出する工程を有する。打ち抜かれたフィルム部材を押切刃の筒内に一旦保持し、スプリング駒の反動により打ち抜きしたフィルム部材を押切刃型の筒内から被加工フィルム面上方に押し出す。これにより押切刃からフィルム部材を排出する際のフィルム部材の変形を抑制することができ、さらに切断加工後に押切刃と押切刃の間にフィルム部材が挟まることが防止することができる。
【００２０】
［工程Ｄ］
本発明のフィルム加工方法は、工程Ｄとして打ち抜かれたフィルム部材を当て板下面側からフィルム部材を把持し打ち抜き外部へ搬送する。
そして、スプリング駒付刃型を次のフィルム切断加工位置に移動する。
【００２１】
［スプリング駒付刃型］
本実施例におけるスプリング駒付刃型は、フィルムを切断加工するための押切刃とスプリング駒を有するものである。押切刃は、1本の刃物を折り曲げて合板に組み込んで作製されたトムソン刃が好ましい。加工精度の観点からエッチング刃の先端の丸みをシャープニング加工により仕上げられたピナクル刃であるとより好ましく、刃型の強度の観点からＮＣ切削により刃の角度をより鋭角にできる台座と一体化した彫刻刃であると更に好ましい。  
【００２２】
［刃の形状］
本実施例における刃の形状は、刃の先端角度が１５度〜６０度であると好ましい。刃の寿命の観点から２０度〜５０度までであるとより好ましく、加工精度の観点を加味すると２５度〜３０度であると更に好ましい。また、工程Ｂにおける刃と刃の間のフィルム面にに生じる応力を少なくするため、図１に示したようにスプリング駒側を垂直面とする片刃（フィルム部材と反対側の刃のみ斜面とする片刃）を用いるとよい。
【００２３】
［スプリング駒（高さ、形状、材料、スプリング強さ）］
本実施例におけるスプリング駒について以下詳細に説明する。
スプリング駒は、刃と刃の間に設置するフィルム部材の自動排出機構でもある。さらにスプリング駒によってフィルムを押えながら切断することができるため加工精度が向上する。スプリング駒の高さは、押切刃の頂点（先端）から０ｍｍ〜０．３ｍｍ突き出している状態が好ましく、フィルムを押えながら切断する観点から０．１ｍｍ〜０．２ｍｍがより好ましい。スプリング駒の形状は、フィルム部材より０．１ｍｍ〜０．５ｍｍ小さいと好ましく、さらにフィルム部材への変形応力緩和の観点から０．２ｍｍ〜０．３ｍｍであるとより好ましく、また、外周を曲率半径０．１ｍｍの面取りを実施するとフィルム部材へのダメージを低減できる。
スプリング駒の材質は、プラスチックなど簡単に加工できるものであればよい。切断加工時の異物発生低減の観点から、アルミニウムを用いると好ましく、耐久性の観点からステンレスを用いるとより好ましい。また、スプリングの強さは、１Ｎ／ｍ〜５０Ｎ／ｍが好ましく、フィルム部材への応力抑制の観点から５Ｎ／ｍ〜２０Ｎ／ｍがより好ましく、フィルム部材の排出性向上の観点から１０Ｎ／ｍ〜１５Ｎ／ｍが更に好ましい。
【００２４】
［当て板（形状、材料、圧力）］
本実施例で用いる当て板について以下詳細に説明する。
当て板の材質は、フェノール板等のある程度の硬度があるフラットな板が好ましい。切断加工時の異物発生を低減する観点からアクリル板がより好ましい。
プレス機による加工圧力は、１ｋＮ〜４５ｋＮが好ましく、フィルム部材の応力抑制の観点から５ｋＮ〜２０ｋＮがより好ましく、加工位置精度の観点から１０ｋＮ〜１５ｋＮが更に好ましい。
【実施例】
【００２５】
以下、本発明を実施例によりさらに具体的に説明するが、本発明はその要旨を越えない限り、以下の実施例に限定されない。
（実施例１）
以下に本発明のフィルムの加工方法について詳細に説明する。
押切刃は、ステンレス(ＳＵＳ３０４)を用い、エッチング法により作製した「ピナクル刃（株式会社蔵持製）」を使用した。刃角は、フィルム部材の切断面形状を観察した結果、最も良好な３０度とした。スプリング駒は、ステンレス（ＳＵＳ３０４）を用い、大きさは押切刃より０．５ｍｍ小さくして設置した。ピナクル刃の位置合わせピンをフィルム内に設計された位置合わせ穴へ挿入し、ピナクル刃とスプリング駒を組み込んだスプリング駒付刃型とフィルムを油圧式プレス機(ＯＢＳ−４５、コマツ産機株式会社製)へ設置した。次に、フィルム上へ当て板としてアクリル板（板厚４ｍｍ）をズレが無いよう固定し、フィルムを油圧式プレス機にて加圧し切断加工した。
切断加工されたフィルム部材は、図２に示したように油圧式プレス機の当て板下面側からアルミニウム枠内に設けた連通気泡のポリエチレン焼結体で吸着して油圧式プレス機の外側に設けた収納容器に取り出した。ポリエチレン焼結体は、アルミニウム枠を保持する支持管内を介して真空ポンプに接続され吸着できるようになっている。
切断加工によってスプリング駒によりフィルム部材が自動的に排出されることを確認した。また、切断加工により、フィルム部材の変形、位置ずれの異常がない高精度なフィルム部材を得ることができ、打ち抜き加工されたフィルム部材を外部の収納容器に搬送できた。
【００２６】
（実施例２）
実施例１において用いたピナクル刃から、ステンレス(ＳＵＳ３０４)を用い、ＮＣ切削により台座と一体化した彫刻刃(株式会社蔵持製)へ変更した。それ以外は全て実施例１と同様の方法で切断加工をした。その効果、フィルム部材の変形、位置ずれの異常がないより高精度なフィルム部材を得ることができ、打ち抜き加工されたフィルム部材を外部の収納容器に搬送できた。
【産業上の利用可能性】
【００２７】
本発明のフィルム状成形品の打ち抜き加工方法は、切断加工時のフィルムの変形を抑制することができ、折れや破断等のない打抜き品を得ることができ、打ち抜きフィルム部材が刃型の筒内の溜まり部に溜まるのを防止し、打ち抜きフィルムの回収作業をなくして生産性を高めることができる。更には、簡単な構造で製作を容易かつ安価にすることができ光学関係、基板・配線板関係、フィルム関係などの幅広い分野に適用可能である。
【符号の説明】
【００２８】
１．押切刃
２．スプリング駒
３．スプリング駒付刃型
４．当て板
５．台座
６．位置合わせピン
７．フィルム
８．フィルム部材
９．把持部（フィルム部材搬出）
１０．スプリング調整治具
【図１】
2017209739.tif 000003
【図２】
2017209739.tif 000004